(57)【要約】【課題】棟瓦を構成する各瓦（左右に段積みした各熨斗瓦と冠瓦）を針金で連結する際に、作業性を良好にするとともに、針金による連結強度を強くできるようにすること。【解決手段】屋根稜線部の左右にそれぞれ３段以上ずつ段積みされる左右複数段の熨斗瓦２Ａ〜２Ｅと最上段の左右熨斗瓦上に載置される冠瓦３とを有した棟瓦において、各段の熨斗瓦２Ａ〜２Ｅと冠瓦３を含めた全段数の棟瓦における奇数段の各瓦２Ａ，２Ｃ，２Ｅ同士と偶数段の各瓦２Ｂ，２Ｄ，３同士を、それぞれ１本ずつの針金５Ａ，５Ｂで、各瓦の挿通穴４，４・・に対して下段側に位置する左右の各熨斗瓦の下面側から順次ジグザグにクロスさせながら挿通させて連結していることにより、作業性を良好にするとともに、針金による連結強度を強くできるようにしている。【選択図】  図２
2015094117.tif 000002
【特許請求の範囲】
【請求項１】
屋根稜線部（Ｐ）の左右にそれぞれ３段以上ずつ段積みされる左右複数段の熨斗瓦（２Ａ〜２Ｅ）と最上段の左右熨斗瓦（２Ｅ，２Ｅ）上に載置される冠瓦（３）とを有した棟瓦において、
上記各熨斗瓦（２Ａ〜２Ｅ）における屋根稜線部（Ｐ）に近い側の側縁部（２ａ）付近と、上記冠瓦（３）の頂部付近にそれぞれ針金挿通用の挿通穴（４）を設けている一方、
上記各段の熨斗瓦（２Ａ〜２Ｅ）と上記冠瓦（３）を含めた全段数の棟瓦における奇数段の各瓦（２Ａ，２Ｃ，２Ｅ）同士と偶数段の各瓦（２Ｂ，２Ｄ，３）同士を、それぞれ１本ずつの針金（５Ａ，５Ｂ）で、各瓦の上記挿通穴（４，４・・）に対して下段側に位置する左右の各熨斗瓦（２Ａ，２Ａ又は２Ｂ，２Ｂ）の下面側から順次ジグザグにクロスさせながら挿通させて連結している、
ことを特徴とする棟瓦の設置構造。
【請求項２】
請求項１において、
上記各針金（５Ａ，５Ｂ）は、それぞれ上記屋根稜線部（Ｐ）上に固定された固定台（１１）に絡めた状態で奇数段の各瓦（２Ａ，２Ｃ，２Ｅ）と偶数段の各瓦（２Ｂ，２Ｄ，３）とをそれぞれ連結している、
ことを特徴とする棟瓦の設置構造。
【発明の詳細な説明】
【技術分野】
【０００１】
本願発明は、屋根稜線部に設置される棟瓦の設置構造に関するものである。尚、以下の説明では、本願発明の「棟瓦の設置構造」を単に「棟瓦設置構造」と表現することがある。
【背景技術】
【０００２】
屋根稜線部に設置される棟瓦としては、屋根稜線部の左右に複数枚ずつ段積みされる左右の各熨斗瓦と最上段の左右熨斗瓦上に載置される冠瓦とを有している。
【０００３】
そして、この種の棟瓦は、台風や地震等により、位置ずれしたりひどいときには剥落・崩壊等の危険があるが、このような位置ずれや剥落・崩壊等を防止するために、従来から棟瓦を針金で連結することが行われている。
【０００４】
針金で連結された棟瓦の設置構造の従来例としては、例えば図８に示すものがある。この図８に示す従来の棟瓦設置構造は、屋根稜線部Ｐ（左右の野地板８，８の突き合わせ部）上の左右に設置した最上部の各桟瓦１，１上に平板状の熨斗瓦２，２（左右一対）を適数段（図示例では５段）積み重ねた後、最上段の左右熨斗瓦２，２上に断面円弧状の冠瓦３を載置して構成されている。
【０００５】
最上部の桟瓦１と最下段の熨斗瓦２間、上下の熨斗瓦２，２間、最上段の熨斗瓦２と棟瓦３間にはそれぞれ葺土（漆喰）９が介在されている。
【０００６】
ところで、図８に示す従来の棟瓦設置構造では、左右同高さに位置する１組の熨斗瓦２，２は、それぞれ各組ごとに個別の針金６で連結されているが、この針金６による連結構造は次のように構成されている。
【０００７】
即ち、図８の棟瓦設置構造で使用される各熨斗瓦２は、図９に拡大図示するように、予め熨斗瓦２の側縁部２ａ付近に設けている針金挿通用の挿通穴４を通して所定小長さの分割針金６Ａの一端側を固縛（符号ｃ）して、針金付き熨斗瓦の状態にしておく。そして、図８の棟瓦設置構造は、まず、図９に示す分割針金６Ａ付きの左右１組の熨斗瓦２，２を、屋根稜線部Ｐ（図８）上の左右に設置した最上部の各桟瓦１，１上の所定位置に配置した後、図９に鎖線図示するように各側の分割針金６Ａ，６Ａの自由側延出部６ａ，６ａ同士をねじり締め（符号６ｂ）することによって、最下段の１組の熨斗瓦２，２同士を連結する。そして、２段目以上の各段（全５段）の左右熨斗瓦２，２（分割針金６Ａ付き）も、既設側の左右熨斗瓦２，２上に載置した後、左右の分割針金６Ａ，６Ａの各自由側延出部６ａ，６ａ（図９）同士をねじり締め（符号６ｂ）することでそれぞれ左右に連結された状態で段積みされる。尚、下から４段目の両熨斗瓦２，２を針金６で連結した後、該４段目連結用の針金６に冠瓦連結用の針金７（図８）を絡めておき、該針金６の両端側を上方に延出させておく。
【０００８】
そして、最上段（５段目）の左右１組の熨斗瓦２，２を積み上げた後、該最上段の両熨斗瓦２，２上に冠瓦３を載置するが、冠瓦連結用の針金７の各延出部を冠瓦３の２つの挿通穴４，４に下面側から挿通させた状態で、該冠瓦３を最上段の熨斗瓦２，２上に載置した後、該針金７の両延出部を冠瓦３の上面部においてねじり締め（図８の符号７ｂ）することで、所定段数の棟瓦を施工できる。尚、各段の棟瓦（５段の熨斗瓦２と冠瓦３）の施工は屋根棟部の全長に亘って行われる。
【発明の概要】
【発明が解決しようとする課題】
【０００９】
ところで、図８〜図９に示す従来の棟瓦設置構造では、左右同高さに位置する１組の熨斗瓦２，２（合計５段ある）ごとにそれぞれ針金６で連結する一方、下から４段目の各熨斗瓦２，２と冠瓦３とを別の針金７で連結しているので、次のような欠点があった。
【００１０】
合計５段（１０枚）の熨斗瓦２，２・・と１つの冠瓦３を１単位とする棟瓦（合計１１点の瓦）を連結するのに、合計１１本の針金（１０本の分割針金６Ａと１本の冠瓦用針金７）を使用して合計１６回のねじり締め作業を行う必要があるので、各瓦（合計１１点）を針金で連結するための作業が繁雑となるとともに、棟瓦組付作業に長時間を要する（作業効率が悪い）という問題がある。
【００１１】
又、左右同高さに位置する１組の熨斗瓦２，２同士は、それぞれ各組ごとに針金６で連結されているが、上下に位置する各組の熨斗瓦２，２同士は針金６による連結がなされていないので、各熨斗瓦２，２・・における上と下の連結強度は弱いものであった。
【００１２】
さらに、各熨斗瓦２，２・・及び冠瓦３は、棟上部の構造体（野地板８，８）に対して何ら固定（連結）されていないので、棟瓦全体の設置強度は弱いものであった。即ち、例えば大きな地震が発生したときには、棟瓦全体が棟上部の構造体（野地板８，８）に対して位置ずれしたり崩落する虞れがあるという問題もあった。
【００１３】
そこで、本願発明は、棟瓦設置工事において、左右に複数枚ずつ段積みされる各熨斗瓦と最上段に載置される冠瓦とを針金で連結する際に、比較的容易に且つ短時間で行えるようにするとともに、該針金による連結強度を強くできるようにした棟瓦の設置構造を提供することを目的としてなされたものである。
【課題を解決するための手段】
【００１４】
本願発明は、上記課題を解決するための手段として次の構成を有している。尚、本願発明は、図１〜図３に例示するように、屋根稜線部Ｐの左右にそれぞれ３段以上（図示例では５段）ずつ段積みされる左右の各熨斗瓦（２Ａ〜２Ｅ）と最上段の左右１組の各熨斗瓦２Ｅ，２Ｅ上に載置される冠瓦３とを有した棟瓦の設置構造を対象にしたものである。又、本願発明の棟瓦設置構造として例示しいる図１〜図３において、各段の熨斗瓦に付している２Ａ〜２Ｅの符号は、２Ａが最下段（１段目）、２Ｂが下から２段目、２Ｃが下から３段目、２Ｄが下から４段目、２Ｅが最上段（５段目）のものである。
【００１５】
［本願請求項１の発明］
本願請求項１の発明の棟瓦設置構造では、上記各熨斗瓦２Ａ〜２Ｅとして、屋根稜線部Ｐに近い側（突き合わせ側）の側縁部２ａ付近に針金挿通用の挿通穴４を設けたものを使用している一方、上記冠瓦３として、その頂部付近に針金挿通用の挿通穴４（２つある）を設けたものを使用している。
【００１６】
ところで、各熨斗瓦２Ａ〜２Ｅの挿通穴４は、該熨斗瓦における棟長さ方向の中間位置に設けられている。そして、上下に段積みされる各熨斗瓦２Ａ〜２Ｅにおいて、奇数段の熨斗瓦２Ａ，２Ｃ，２Ｅと偶数段の熨斗瓦２Ｂ，２Ｄとは、図１に示すように棟長さ方向に１／２長さだけ相互に位置ずれさせた状態で配置される関係で、奇数段の熨斗瓦の各挿通穴４の位置と偶数段の熨斗瓦の各挿通穴４とが棟長さ方向に相互に位置ずれしている。そして、このことにより、後述するように各棟瓦（熨斗瓦と冠瓦）を針金で連結するのに、奇数段の各熨斗瓦２Ａ，２Ｃ，２Ｅを１つのグループとして扱う一方、偶数段の各熨斗瓦２Ｂ，２Ｄと冠瓦３とを別のグループとして扱うようにしている。
【００１７】
即ち、本願請求項１の棟瓦設置構造では、上記各段（図示例では全５段）の熨斗瓦２Ａ〜２Ｅと上記冠瓦３を含めた全段数（図示例では合計６段）の棟瓦における奇数段の各瓦２Ａ，２Ｃ，２Ｅ同士と偶数段の各瓦２Ｂ，２Ｄ，３同士を、それぞれ１本ずつの針金５Ａ，５Ｂで、各瓦の挿通穴４，４・・に対して下段側に位置する左右の各熨斗瓦（２Ａ，２Ａ又は２Ｂ，２Ｂ）の下面側から順次ジグザグにクロスさせながら挿通させて連結していることを特徴としている。
【００１８】
この請求項１の棟瓦設置構造は、棟瓦を構成する各段の全瓦（左右複数枚ずつの熨斗瓦２Ａ〜２Ｅと冠瓦３）を、奇数段のクループと偶数段のグループに分けてそれぞれのグループごとの瓦をそれぞれ１本ずつの針金５Ａ，５Ｂで次のように連結している。
【００１９】
即ち、図１におけるII−II矢視部分では、図２に示すように奇数段の各瓦（下から１段目と３段目と５段目の各熨斗瓦）２Ａ，２Ｃ，２Ｅを１本の針金５Ａで順次ジクザグ状にクロスさせながら緊張状態で連結している一方、図１におけるIII−III矢視部分では、図３に示すように偶数段の各瓦（下から２段目と４段目の各熨斗瓦と冠瓦）２Ｂ，２Ｄ，３を別の１本の針金５Ｂで順次ジクザグ状にクロスさせながら緊張状態で連結している。尚
、針金（５Ａ及び５Ｂ）の各クロス部分は、それぞれ適数回（例えば２〜３回）ねじり締めしておくとよい。又、奇数段用の針金５Ａは、５段目の各熨斗瓦２Ｅ，２Ｅの上面側で針金の各延出部（端部）をねじり締め（符号５Ａａ参照）している一方、偶数段用の針金５Ｂは、冠瓦３の上面側で針金の各延出部（端部）をねじり締め（符号５Ｂａ参照）している。
【００２０】
［本願請求項２の発明］
本願請求項２の発明は、上記請求項１の棟瓦設置構造において、上記各針金５Ａ，５Ｂは、それぞれ上記屋根稜線部Ｐ上に固定された固定台１１に絡めた状態で奇数段の各瓦２Ａ，２Ｃ，２Ｅと偶数段の各瓦２Ｂ，２Ｄ，３をそれぞれ連結していることを特徴としている。
【００２１】
上記固定台１１は、例えば図４に例示するように、屋根稜線部Ｐ上に各支柱１２，１２で横架材１４を固定的に支持したものを採用できる。
【００２２】
そして、この請求項２の棟瓦設置構造では、奇数段の各瓦（２Ａ，２Ｃ，２Ｅ）と偶数段の各瓦（２Ｂ，２Ｄ，３）をそれぞれ連結した２系統の各針金５Ａ，５Ｂを、固定台１１（横架材１４）に絡めて組付けているので、棟瓦部分の全体が針金５Ａ，５Ｂを介して固定台１１で補強される。
【発明の効果】
【００２３】
［本願請求項１の発明の効果］
本願請求項１の棟瓦設置構造では、棟瓦を構成する全段数の各瓦（各熨斗瓦２Ａ〜２Ｅと冠瓦３）における、奇数段の各瓦（２Ａ，２Ｃ，２Ｅ）同士と偶数段の各瓦（２Ｂ，２Ｄ，３）同士を、それぞれ１本ずつの針金５Ａ，５Ｂで順次ジグザグにクロスさせながら一体的に連結している。
【００２４】
従って、この請求項１の棟瓦設置構造によれば、上下に段積みされた棟用の各瓦（複数段の熨斗瓦２Ａ〜２Ｅと冠瓦３）を少ない本数の針金５Ａ，５Ｂで連結できるので、針金を使用して棟瓦を連結するものにおいて、棟瓦の設置作業（針金による連結作業）が容易に且つ作業効率よく行えるという効果がある。
【００２５】
又、この請求項１の棟瓦設置構造では、奇数段の各瓦（２Ａ，２Ｃ，２Ｅ）と偶数段の各瓦（２Ｂ，２Ｄ，３）とをそれぞれ１本ずつの針金５Ａ，５Ｂで連結しているので、各針金５Ａ，５Ｂで連結された各側の瓦群が上下に一体化されることにより、棟瓦全体の連結強度が強くなる（個別に位置ずれしにくくなる）という効果がある。
【００２６】
［本願請求項２の発明の効果］
本願請求項２の発明では、上記請求項１の棟瓦設置構造において、上記各針金５Ａ，５Ｂは、屋根稜線部Ｐ上に固定された固定台１１に絡めた状態で各瓦（２Ａ〜２Ｅ，３）を連結している。
【００２７】
従って、この請求項２の棟瓦設置構造は、上記請求項１の効果に加えて、棟瓦部分の全体が各針金５Ａ，５Ｂを介して固定台１１で補強できるので、該棟瓦部分の強度を一層強くすることができる（例えば大きな地震が発生したときでも、棟瓦全体が棟上部の構造体に対して位置ずれしたり崩落しない）という効果がある。
【図面の簡単な説明】
【００２８】
【図１】本願実施例の棟瓦設置構造を採用した棟部の側面図である。
【図２】図１のII−II矢視断面図である。
【図３】図１のIII−III矢視断面図である。
【図４】図１〜図３の棟瓦設置構造を採用する屋根稜線部付近の斜視図である。
【図５】図１〜図３の棟瓦設置構造における施工初期段階の説明図である。
【図６】図５からの施工進行状態の説明図である。
【図７】図１〜図３の棟瓦設置構造の施工最終段階前の説明図である。
【図８】従来の棟瓦設置構造を示す断面図である。
【図９】図８の棟瓦設置構造における左右熨斗瓦の連結状態を示す拡大図である。
【発明を実施するための形態】
【００２９】
［実施例］
以下、図１〜図７を参照して本願実施例の棟瓦設置構造を説明する。
【００３０】
図１〜図３に示す本願実施例の棟瓦設置構造は、棟瓦として、屋根稜線部Ｐ（野地板８，８の突き合わせ部分）上の左右に設置された最上部の各桟瓦１，１上に、左右２つの熨斗瓦を１組とする５組の熨斗瓦２Ａ〜２Ｅを段積みし、さらに最上段の左右１組の熨斗瓦２Ｅ，２Ｅ上に冠瓦３を載置したものを採用している。尚、熨斗瓦２Ａ〜２Ｅ部分の段数は、３段以上であれば適数段のものを採用できる。又、この実施例において、各段の熨斗瓦に付している２Ａ〜２Ｅの符号は、２Ａが最下段（１段目）、２Ｂが下から２段目、２Ｃが下から３段目、２Ｄが下から４段目、２Ｅが最上段（５段目）のものである。
【００３１】
各熨斗瓦２Ａ〜２Ｅは、平板状に形成されている。又、この各熨斗瓦２Ａ〜２Ｅには、設置状態で屋根稜線部Ｐに近い側（突き合わせ側）の側縁部２ａ付近に連結用の針金を挿通させるための挿通穴４を設けている。この挿通穴４は、図４に示すように熨斗瓦２の側縁部２ａの長さ方向の中央位置に１箇所形成している。
【００３２】
冠瓦３は、断面円弧状に形成されている。又、この冠瓦３にも、連結用の針金を挿通させるための挿通穴４が形成されている。この冠瓦３の挿通穴４は、冠瓦長さ方向の中央位置で中心（頂部）付近の左右２位置に形成されている（２個ある）。
【００３３】
ところで、各段の熨斗瓦２Ａ〜２Ｅは、図１に示すように、奇数段の熨斗瓦２Ａ，２Ｃ，２Ｅと偶数段の熨斗瓦２Ｂ，２Ｄとが、棟長さ方向に１／２長さだけ相互に位置ずれされた状態で配置される関係で、奇数段の熨斗瓦２Ａ，２Ｃ，２Ｅの各挿通穴４の位置と偶数段の熨斗瓦２Ｂ，２Ｄの各挿通穴４とが棟長さ方向に相互に位置ずれしている。そして、このことにより、後述するように各棟瓦（熨斗瓦と冠瓦）を針金で連結するのに、奇数段の各熨斗瓦２Ａ，２Ｃ，２Ｅを１つのグループとして扱う一方、偶数段の各熨斗瓦２Ｂ，２Ｄと冠瓦３とを別のグループとして扱うようにしている。
【００３４】
この実施例の棟瓦設置構造では、上記各段（全５段）の熨斗瓦２Ａ〜２Ｅと上記冠瓦３を含めた全段数（合計６段）の棟瓦における奇数段の各瓦２Ａ，２Ｃ，２Ｅ同士と偶数段の各瓦２Ｂ，２Ｄ，３同士を、それぞれ１本ずつの針金５Ａ，５Ｂで、各瓦の挿通穴４，４・・に対して下段側に位置する左右の各熨斗瓦（２Ａ，２Ａ又は２Ｂ，２Ｂ）の下面側から順次ジグザグにクロスさせながら挿通させて連結している。即ち、この実施例では、図１のII−II矢視断面である図２に実線図示する針金５Ａが奇数段のグループの各瓦２Ａ，２Ｃ，２Ｅを連結するものであり、図１のIII−III矢視断面である図３に実線図示する針金５Ｂが偶数段のグループの各瓦２Ｂ，２Ｄ，３を連結するものである。
【００３５】
図４〜図７には、図１〜図３の棟瓦設置構造の施工工程を示しているが、この実施例の棟瓦設置構造では、屋根稜線部Ｐ上に固定した固定台１１に２系統の各針金５Ａ，５Ｂをそれぞれ絡ませた状態で奇数段の各瓦（２Ａ，２Ｃ，２Ｅ）と偶数段の各瓦（２Ｂ，２Ｄ，３）とをそれぞれ個別に連結している。
【００３６】
即ち、上記固定台１１は、図４に示すように、屋根稜線部Ｐ上に間隔をもって立設固定した複数の支柱１２，１２間に跨がって横架材１４を架設したものである。各支柱１２，１２は、その下部に設けた左右の固定板１３，１３を屋根板（野地板８，８又は垂木）上に釘止めしてそれぞれ固定されている。支柱１２の上端部には、横架材１４を挿通させる穴が形成されており、各支柱１２，１２の各穴に跨がって横架材１４を挿通させることで、該横架材１４を屋根稜線部Ｐ上に固定状態で支持させている。
【００３７】
図５は、最下段の熨斗瓦２Ａ，２Ａの施工説明図であって、図１のII−II矢視部分に相当する箇所である。そして、この図５の施工工程では、最下段の熨斗瓦２Ａ，２Ａを最上部の各桟瓦１，１上に載せる前に、１本の針金５Ａの各延出部５ａ，５ａを各熨斗瓦２Ａ，２Ａの下面から各挿通穴４，４に挿通させておき、その状態で両熨斗瓦２Ａ，２Ａをそれぞれ最上部の各桟瓦１，１上に載置する。このとき、左右の熨斗瓦２Ａ，２Ａの各挿通穴４，４に通した針金の各延出部５ａ，５ａは、支持台１１の横架材１４の上側においてクロス（図４の符号ａ）させて該クロス部分を数回（例えば２〜３回）ねじり締めしておく（図５の符号ｂ）。尚、この最下段の各熨斗瓦２Ａ，２Ａの施工は、棟長さ方向の全長に亘って順次行われる。
【００３８】
図６は、最下段の熨斗瓦２Ａ，２Ａを設置した後の２段目の熨斗瓦２Ｂ，２Ｂの施工説明であって、図１のIII−III矢視部分に相当する箇所である。そして、この図６の施工工程では、偶数段用の針金５Ｂを横架材１４の下側に潜らせておき、その針金５Ｂの各延出部５ａ，５ａをそれぞれ２段目の左右熨斗瓦２Ｂ，２Ｂの各挿通穴４，４に下面側から挿通させた後、２段目の各熨斗瓦２Ｂ，２Ｂを鎖線図示（符号２Ｂ′２Ｂ′）するように最下段（施工済）の各熨斗瓦２Ａ，２Ａ上に載置する。そして、この偶数段用の針金５Ｂの各延出部５ａ，５ａは、図６に鎖線図示（符号５ａ′，５ａ′）するように、横架材１４に絡めて該横架材１４の上面側で数回ねじっておく（図６の符号ｂ′参照）。尚、この２段目の各熨斗瓦２Ｂ，２Ｂの施工も、棟長さ方向の全長に亘って順次行われる。
【００３９】
その後、同様にして、３段目〜５段目の各熨斗瓦２Ｃ〜２Ｅを、各側の針金５Ａ，５Ｂで順次ジグザク状に連結しながら段積みして、図７に示す５段の各熨斗瓦２Ａ〜２Ｅを施工するが、各段の熨斗瓦を段積みするごとに当該各針金５Ａ，５Ｂのそれぞれ延出部５ａ，５ａを数回ねじっておく（図７の各符号ｂ部分）。そして、奇数段用の針金５Ａの各延出部（端部）は、最上段（５段目）の熨斗瓦２Ｅ，２Ｅの上面側においてねじり締め（図７の符号５Ａａ）することで、奇数段部分の各瓦（２Ａ，２Ｃ，２Ｅ）を奇数段用の針金５Ａで一体結合させることができる。
【００４０】
上記のように５段の各熨斗瓦２Ａ〜２Ｅを施工した後、図７に鎖線図示するように最上段の熨斗瓦２Ｅ，２Ｅ上に冠瓦３を載置するが、その前に冠瓦３の各挿通穴４，４に、偶数段用の針金５Ｂ（点線図示のもの）の各延出部５ａ，５ａを冠瓦の下面側から挿通させておく。そして、該冠瓦３を最上段の熨斗瓦２Ｅ，２Ｅ上に載せた後、該針金５Ｂの各延出部（端部）５ａ，５ａを冠瓦３の上面側でねじり締め（図１〜図３の符号５Ｂａ）することで、偶数段部分の各瓦（２Ｂ，２Ｄ，３）を偶数段用の針金５Ｂで一体結合させることができる。尚、冠瓦３の上面部で各延出部５ａ，５ａをねじり締め（符号５Ｂａ）した後、該延出部の余剰長さは美観面で切除しておくとよい。
【００４１】
この実施例の棟瓦設置構造では、図１〜図３に示すように、棟瓦を構成する全瓦（２Ａ〜２Ｅ，３）における、奇数段部分の各瓦（２Ａ，２Ｃ，２Ｅ）と偶数段部分の各瓦（２Ｂ，２Ｄ，３）とをそれぞれ１本ずつの針金Ａ，５Ｂで順次ジグザグにクロスさせた状態で連結しているので、図８の従来例のように複数の針金ごとにねじり締めする場合に比して、棟瓦の設置作業（針金による連結作業）が容易に且つ作業効率よく行える。
【００４２】
又、この実施例の棟瓦設置構造では、奇数段の各瓦（２Ａ，２Ｃ，２Ｅ）と偶数段の各瓦（２Ｂ，２Ｄ，３）をそれぞれ１本ずつの針金５Ａ，５Ｂで連結しているので、棟瓦全体が２系統の各針金５Ａ，５Ｂでそれぞれ一体化されることにより、該棟瓦全体の連結強度が強くなる（個別に位置ずれしにくくなる）。
【００４３】
さらに、この実施例の棟瓦設置構造では、棟瓦（各熨斗瓦２Ａ〜２Ｅ、冠瓦３）を棟部上に固定状態で取付けている固定台１１（横架材１４）を含めて針金５Ａ，５Ｂで連結しているので、もし地震発生時の大きな揺れで各棟瓦（各熨斗瓦２Ａ〜２Ｅ、冠瓦３）が葺土９等から剥がれても、該各棟瓦がそれぞれ針金５Ａ，５Ｂを介して横架材１４に連結されているので、該各棟瓦が棟部から位置ずれしたり崩落することはない。
【００４４】
尚、他の実施例では、最上部の冠瓦３は、冠瓦３の上面側から横架材１４に対してビス止めしてもよい。
【符号の説明】
【００４５】
２Ａ〜２Ｅは各段の熨斗瓦、２ａは熨斗瓦の側縁部、３は冠瓦、４は挿通穴、５Ａは奇数段用の針金、５Ｂは偶数段用の針金、５ａは針金の延出部、１１は固定台、１４は横架材、Ｐは屋根稜線部である。
【図１】
2015094117.tif 000003
【図２】
2015094117.tif 000004
【図３】
2015094117.tif 000005
【図４】
2015094117.tif 000006
【図５】
2015094117.tif 000007
【図６】
2015094117.tif 000008
【図７】
2015094117.tif 000009
【図８】
2015094117.tif 000010
【図９】
2015094117.tif 000011